(57)【要約】【課題】磁気ディスクドライブにおいて、磁気ディスクメディアに対して安定して記録再生を行うことができるようにする。【解決手段】磁気ディスクドライブ１の磁気ヘッド２において、スライダー５が設置されたベース部材４の周囲に整流板６を配置して、磁気ディスクドライブ１により磁気ディスクメディア２４に対して磁気記録再生を行う際に、整流板６によって磁気ディスクメディア２４上に流れる気流を利用して磁気ヘッド２の磁気ディスクメディア２４の盤面からの高さの変動を抑制して、磁気ディスクメディア２４に対して安定して記録再生を行うことができるようにする。【選択図】　　　　　図２
2004022028.tif 000002
【特許請求の範囲】
【請求項１】
円盤状の磁気ディスクメディアに記録再生を行う磁気ヘッドを備えた磁気ディスクドライブにおいて、
前記磁気ヘッドが、前記磁気ディスクメディアが回転している際に該磁気ディスクメディア上に流れる気流を整流する整流板を備えたものであることを特徴とする磁気ディスクドライブ。
【発明の詳細な説明】
【０００１】
【発明の属する技術分野】
本発明は、ケース内に円盤状の磁気ディスクメディアを収容した磁気ディスクカートリッジ等に対し、その磁気ディスクメディアに記録再生を行う磁気ディスクドライブに関するものである。
【０００２】
【従来の技術】
従来より、フレキシブルなポリエステルシート等からなる円盤状のベースの両面に磁性層が形成され、この磁性層に磁気ヘッドを用いて信号を磁気記録し得るフレキシブルディスクが磁気ディスクメディアの一種として提供されている。
【０００３】
このフレキシブルディスクは通常、円盤状の中心部に硬質のセンタコアが装着され、全体がプラスチック製または金属製のシェルに収められたディスクカートリッジとして提供されており、その取扱いの容易性、低コストといった利点から、主としてコンピュータ用の記録媒体として用いられている。
【０００４】
【発明が解決しようとする課題】
ところで、上記のような磁気ディスクメディアに対する信号の記録再生は、ドライブ側に設けられた磁気ヘッドを磁気ディスクメディア上から僅かに浮上させた状態で行われるが、この磁気ヘッドに、フライイングハイト変化、ピッチング、ローリング、ヨーイング等の微小振動が発生してその僅かな浮上状態が変動すると、位相ずれ、微小信号欠落等が発生し、書込信号または読取信号に不良が発生する。
【０００５】
特に、近年では、磁気ディスクカートリッジの記録容量を増加させるために、トラック密度の向上（高ＴＰＩ化）や記録線密度の向上（高ＢＰＩ化）等が行われているため、このような高ＴＰＩ化および高ＢＰＩ化されて大容量化された磁気ディスクメディアに対して記録再生を行う際に上記の様な磁気ヘッドの僅かな浮上状態の変動が生じてしまうと、データの信頼性に対して深刻な影響を与える。
【０００６】
本発明は上記のような問題に鑑みてなされたものであり、磁気ディスクメディアに対して安定して記録再生を行うことが可能な磁気ディスクドライブを提供することを目的とするものである。
【０００７】
【課題を解決するための手段】
本発明による磁気ディスクドライブは、円盤状の磁気ディスクメディアに記録再生を行う磁気ヘッドを備えた磁気ディスクドライブにおいて、磁気ヘッドが、磁気ディスクメディアが回転している際にこの磁気ディスクメディア上に流れる気流を整流する整流板を備えたものであることを特徴とするものである。
【０００８】
【発明の効果】
本発明による磁気ディスクドライブによれば、磁気ヘッドに、磁気ディスクメディアが回転している際にこの磁気ディスクメディア上に流れる気流を整流する整流板を設けたことにより、この整流板によって気流を整流する際に整流板の上面および下面に流れる気流を利用して、磁気ヘッドの磁気ディスクメディアの盤面からの高さの変動を抑制できるため、磁気ディスクメディアに対して安定した記録・再生を行うことが可能となる。
【０００９】
【発明の実施の形態】
以下、図面に示す実施の形態に基づいて本発明を詳細に説明する。図１は第１の実施の形態における磁気ディスクドライブの上面からの概略図、図２はこの磁気ディスクドライブの側面からの概略図、図３はこの磁気ディスクドライブの磁気ヘッドの構成図、図４はこの磁気ディスクドライブに使用する磁気ディスクカートリッジの外観斜視図である。なお、図１および図２において、磁気ヘッドと磁気ディスクメディアとは異なる比率で示している。
【００１０】
本発明による磁気ディスクドライブ１は、後述の磁気ディスクカートリッジ２０に内蔵された円盤状の磁気ディスクメディア２４に対して記録再生を行うための磁気ヘッド２と、磁気ディスクメディア２４を回転駆動する磁気ディスク駆動部１０とを備える。
【００１１】
磁気ヘッド２は、前記サスペンション部材３に固着されるベース部材４および整流板６からなる。整流板６は略中心付近に穴が設けられた略長方形状をしており、長方形の長手方向がサスペンション部材３の長手方向と平行になるように、サスペンション部材３に取り付けられている。また、ベース部材４は、整流板６に設けられた穴の内側に配置される。ベース部材４には、磁気ディスクメディア２４の表面と対向する面に突起状にレールが設けられたスライダー５が設置されている。
【００１２】
スライダー５の一部には、記録再生用のヘッドギャップを有する薄膜磁気ヘッド等が固着されて構成されている。また、このスライダー５は、その設定形状に伴い、磁気ディスクメディア２４の回転によって発生する気流により、磁気ディスクメディア２４の表面から浮上する圧力、又は、磁気ディスクメディア２４の表面に吸着する圧力を生じるものであり、磁気ディスクメディア２４の高速回転に伴ってその表面に接離移動する。そして、前記サスペンション部材３（板バネ）の付勢力との関係によって、磁気ヘッド２の接触荷重が所定の値となるように設定される。
【００１３】
整流板６は、磁気ディスクメディア２４の盤面と平行になるように設けられており、磁気ディスクメディア２４の回転によって発生する気流を整流することによって整流板６の上面および下面に流れる気流を利用して、磁気ヘッド２の磁気ディスクメディア２４の盤面からの高さの変動を抑制するためのものである。
【００１４】
上記のように構成された上下の磁気ヘッド２によって磁気ディスクメディア２４を挟む状態で接触させて磁気ディスクメディア２４を安定して回転させるようにしている。なお、上下のサスペンション部材３は、サスペンション支持部７に保持されている。サスペンション支持部７は、サスペンション部材３に保持されている磁気ヘッド２が磁気ディスクメディア２４のセンタコア２３の領域を除く中心部分から外周部分までの間を半径方向に移動可能なように、図１中上下方向（磁気ディスクメディア２４の半径方向）に摺動する。
【００１５】
磁気ディスクカートリッジ２０は、例えばアクリロニトリル−ブタジエン−スチレン共重合体等の樹脂成形品からなる上シェル２１と下シェル２２の接合で扁平なハウジングＣが構成され、このハウジングＣの中に、センタコア２３に固着保持された磁気ディスクメディア２４が回転可能な状態で収納されると共に、この磁気ディスクメディア２４の上下にライナー２５が設置されている。このライナー２５と磁気ディスクメディア２４表面とは常時は非接触である。
【００１６】
ハウジングＣは略矩形の扁平状であり、上下面に長方形の磁気ヘッド挿入口２６が開口されている。前記ライナー２５は不織布等により多角形状（丸形状でもよい）に設けられ、上下シェル２１，２２の内面に超音波溶着や接着等により貼り付けられている。また、下シェル２２の中心部には前記センタコア２３が臨む円形のハブ孔が開口されている。さらに上記ハウジングＣには、上記磁気ヘッド挿入口２６を開閉するために滑動自在とされたシャッター２８が組み付けられる。
【００１７】
磁気ディスク駆動部１０は、磁気ディスクカートリッジ２０を所定位置に保持すると共に、磁気ディスクメディア２４のセンタコア２３をスピンドル軸１２およびハブチャック１３によってチャッキングし、駆動モータ１４によってこのスピンドル軸１２およびハブチャック１３を駆動して磁気ディスクメディア２４を所定回転数で回転させる。また、前記磁気ディスクカートリッジ２０の挿入動作に連係してシャッター２８を開作動し、開かれた磁気ヘッド挿入口２６より前記磁気ヘッド２を挿入して磁気ディスクメディア２４に接近させ、磁気記録再生を行う。
【００１８】
上記のように構成された磁気ディスクドライブ１により磁気ディスクメディア２４に対して磁気記録再生を行う際は、磁気ディスクメディア２４に対し、その両面に板バネによるサスペンション部材３の先端に搭載した磁気ヘッド２で挟んだ状態で接触させながら、この磁気ディスクメディア２４を磁気ディスク駆動部１０により一定の回転方向Ａに回転させた状態で、接触状態の磁気ヘッド２によって磁気ディスクメディア２４の円周方向に設けられたトラックに対してデータの記録若しくは再生を行う。
【００１９】
このとき、磁気ヘッド２には整流板６を設けているため、この整流板６によって磁気ヘッド２の磁気ディスクメディア２４の盤面からの高さの変動が抑制されるので、磁気ディスクメディア２４に対して安定して記録再生を行うことができるようになる。
【００２０】
次に、本発明の第２の実施の形態について説明する。図５は本実施の形態における磁気ディスクドライブの側面からの概略図である。
【００２１】
本実施の形態は、第１の実施の形態と比較して、整流板６の磁気ディスクメディア２４と対向する面にクリーニング部材８を設けた点が異なるものである。
【００２２】
このクリーニング部材８は、磁気ディスクメディア２４の表面に傷を付けないと共に、塵埃の原因となる屑が発生しないような素材によって接触面部分を形成するもので、例えば、不織布、長繊維布、起毛体、繊維ブラシ等で形成される。また、クリーニング部材８の全体を上記素材で形成するか、プラスチック、ゴム等の軟質材の表面に上記素材を固着して構成してもよい。さらに、硬質セラミック部材を用いて、塵埃を掻き落とすように除去するクリーニング部材を設置することも可能である。なお、このクリーニング部材８は、整流板６の全面に設けてもよいし、部分的に設けてもよい。
【００２３】
整流板６に、このようなクリーニング部材８を設けることによって、第１の実施の形態と同様の効果を得ることができるとともに、クリーニング部材８が磁気ディスクメディア２４表面に接触してワイピングを行い、この磁気ディスクメディア２４表面に付着している塵埃等を除去するため、このような塵埃等に起因するドロップアウトの発生を防止することができる。
【００２４】
次に、本発明の第３の実施の形態について説明する。図６は本実施の形態における磁気ディスクドライブの上面からの概略図である。
【００２５】
本実施の形態は、第１の実施の形態と比較して、整流板６を、サスペンション部材３を中心として、磁気ディスクメディア２４の回転方向の下流側のみに設けた点が異なるものである。
【００２６】
本実施の形態においても第１の実施の形態と同様の効果を得ることができる。
【００２７】
なお、整流板６を、サスペンション部材３を中心として、磁気ディスクメディア２４の回転方向の上流側のみに設けてもよい。
【００２８】
次に、本発明の第４の実施の形態について説明する。図７は本実施の形態における磁気ディスクドライブの上面からの概略図である。
【００２９】
本実施の形態は、第１の実施の形態と比較して、整流板６の形状を変更した点が異なるものである。
【００３０】
磁気ディスクメディア２４を回転させると、磁気ディスクメディア２４の中心に近い部分よりも中心から遠い部分の方が線速度が速くなるため、磁気ディスクメディア２４の回転によって発生する気流の速さも、ディスクの中心に近い部分よりも中心から遠い部分の方が速くなる。
【００３１】
そのため、本実施の形態では、上記の様な場所による気流の速さの違いを考慮して、整流板６のセンタコア２３側に近い方の横幅を、センタコア２３側に遠い方の横幅よりも広くすることによって、場所による整流板の効果の均一化を図ったため、第１の実施の形態と同様の効果をより高く得ることができる。
【００３２】
上記第１から第４の実施の形態では、直線移動式の磁気ヘッドを備えた磁気ディスクドライブについて説明したが、本発明は上記実施の形態に限定されるものではなく、例えばｃｌｉｋ！（登録商標）等の回転移動式（スイング式）の磁気ヘッドを備える磁気ディスクドライブに適用してもよい。
【図面の簡単な説明】
【図１】第１の実施の形態の磁気ディスクドライブの上面からの概略図
【図２】第１の実施の形態の磁気ディスクドライブの側面からの概略図
【図３】第１の実施の形態の磁気ディスクドライブの磁気ヘッドの構成図
【図４】上記ドライブに使用する磁気ディスクカートリッジの外観斜視図
【図５】第２の実施の形態の磁気ディスクドライブの側面からの概略図
【図６】第３の実施の形態の磁気ディスクドライブの上面からの概略図
【図７】第４の実施の形態の磁気ディスクドライブの上面からの概略図
【符号の説明】
１　　磁気ディスクドライブ
２　　磁気ヘッド
３　　サスペンション部材
４　　ベース部材
５　　スライダー
６　　整流板
７　　サスペンション支持部７
８　　クリーニング部材
１０　　磁気ディスク駆動装置
１２　　スピンドル軸
１４　　モーター
２０　　磁気ディスクカートリッジ
２３　　センタコア
２４　　磁気ディスクメディア
２５　　ライナー
２６　　磁気ヘッド挿入口
【図１】
2004022028.tif 000003
【図２】
2004022028.tif 000004
【図３】
2004022028.tif 000005
【図４】
2004022028.tif 000006
【図５】
2004022028.tif 000007
【図６】
2004022028.tif 000008
【図７】
2004022028.tif 000009